(57)【要約】【課題】トイレの広さやドアの位置による影響を受けずにトイレ室内の人の有無の検出を行うトイレ装置を提供すること。【解決手段】便器６上に設置され、制御回路８を有する本体１と、本体１と回動自在に装着してなる便蓋３及び便座２と、トイレ室内の人の有無を検出する人体検知手段４とからなり、人体検知手段４は本体１の左もしくは右に取付位置が選択可能、もしくは人体検知手段４を左および右に設けたことにより、トイレの広さやドアの位置による感度低下を防ぐことができる。【選択図】  図６
2004181077.tif 000002
【特許請求の範囲】
【請求項１】
便器上に設置され、制御回路を有する本体と、前記本体と回動自在に装着してなる便蓋及び便座と、トイレ室内の人の有無を検出する人体検知手段とからなり、前記人体検知手段は前記本体の左もしくは右に取付位置が選択可能なトイレ装置。
【請求項２】
人体検知手段は人体を検知する人体検知部と、前記人体検知部からの検知情報を本体内の制御回路へ伝える伝達部からなり、前記伝達部を左および右に設けた、請求項１に記載のトイレ装置。
【請求項３】
人体検知部と伝達部との接続部を、本体外面に設けた、請求項２に記載のトイレ装置。
【請求項４】
制御回路に接続した伝達部は可撓性を有し、人体検知手段は左もしくは右に設置可能とした、請求項２に記載のトイレ装置。
【請求項５】
便器上に設置され、制御回路を有する本体と、前記本体と回動自在に装着してなる便蓋及び便座と、トイレ室内の人の有無を検出する人体検知手段とからなり、前記人体検知手段を前記本体の左および右に設けたトイレ装置。
【請求項６】
一方の人体検知手段の水平面を基準とした上下方向の検出角度を、他方の検出角度より大きくした請求項５に記載のトイレ装置。
【発明の詳細な説明】
【０００１】
【発明の属する技術分野】
本発明はトイレ装置に関するものである。
【０００２】
【従来の技術】
近年、温水洗浄装置が広く用いられており、機能も増加している。従来のトイレ装置としては、トイレ装置本体に人体感知センサーを備え、トイレ室内の人の有無を検出し、それに追従し便蓋の開閉や便座の閉止を行うトイレ装置があった（例えば、特許文献１参照）。図８は、前記特許文献１に記載された従来のトイレ装置を示すものである。
【０００３】
図８において、タンク装置１４における前面上部のコーナー部には、人体検知手段である人体感知センサー５２が設けられており、タンク装置１４前方に赤外線を発光し、その反射光の受光に基づいてタンク装置１４の前方の人体の有無を感知するものである。
【０００４】
【特許文献１】
特許第３２０１７１５号公報（第８〜１２ページ  第２図）
【０００５】
【発明が解決しようとする課題】
ここで、トイレの広さ、ドアの位置や開き方などトイレ空間の間取りは様々であり、あらゆるトイレでも使い勝手が良いことを目標とすると、人体検知手段はトイレ装置中央もしくは、トイレ装置上部で、さらには便蓋の開閉によっても人体検知手段が隠れない位置に配置することが望ましい。しかしながら、機能やデザイン性の制限から、トイレ装置中央もしくはトイレ装置上部に配置が困難なことも多い。トイレ装置の操作部は、右利きの利用者が多いことを考慮し、トイレ装置の右側（トイレ装置に着座した時の右側）に配置することがほとんどであり、人体検知部も操作部と同位置に設置するものが多い。このため、ドアがトイレ装置の左側にあった場合、人体の検出が遅れ、機能が損なわれるという課題を有していた。
【０００６】
【課題を解決するための手段】
前記従来の課題を解決するために本発明のトイレ装置は、トイレ室内の人の有無を検出する人体検知手段は本体の左もしくは右に取付位置が選択可能に設けたものである。これによってドア位置に応じた側に人体検知手段を取り付け、確実に人体の有無を検出することができる。
【０００７】
【発明の実施の形態】
請求項１に記載の発明は、便器上に設置され、制御回路を有する本体と、本体と回動自在に装着してなる便蓋及び便座と、トイレ室内の人の有無を検出する人体検知手段とからなり、人体検知手段は本体の左もしくは右に取付位置が選択可能としたものである。そして、人体検知手段は本体の左もしくは右に取付位置を選択可能としたことにより、トイレのドアの方向に応じて人体検知手段の位置を変更でき、トイレのドアがどの方向であっても感度良く人体の有無を検出することができる。
【０００８】
請求項２に記載の発明は、人体検知手段は人体を検知する人体検知部と、人体検知部からの検知情報を本体内の制御回路へ伝える伝達部からなり、伝達部を左および右に設けたものである。そして、伝達部を左および右に設けたことにより、必要に応じて人体検知手段の取付位置を変更することができる。
【０００９】
請求項３に記載の発明は、人体検知部と伝達部との接続部を、本体外面に設けたものである。そして、接続部を本体外面に設けたことにより、人体検知手段の本体への取付位置の変更を容易に行うことができる。
【００１０】
請求項４に記載の発明は、制御回路に接続した伝達部は可撓性を有し、人体検知手段は左もしくは右に設置可能としたものである。そして、伝達部が可撓性を有し、人体検知手段は左もしくは右に設置可能としたことで、人体検知部と伝達部の取り外しおよび取付け作業を省くことができる。
【００１１】
請求項５に記載の発明は、便器上に設置され、制御回路を有する本体と、本体と回動自在に装着してなる便蓋及び便座と、トイレ室内の人の有無を検出する人体検知手段とからなり、人体検知手段を本体の左および右に設けたものである。そして、人体検知手段を本体の左および右に設けたことにより、人体検知手段の位置変更をすることなく、トイレのドアがどの方向であって、感度良く人体の有無を検出することができる。
【００１２】
請求項６に記載の発明は、一方の人体検知手段の水平方向を基準とした上下方向の検出角度を、他方の検出角度より大きくしたものである。そして、一方の検出角度を他方の検出角度より大きくしたことにより、ドアの方向だけでなく、利用者の体型の差に関係なく、感度良く人体の有無を検出することができる。
【００１３】
【実施例】
以下、本発明の実施例について図面を用いて説明する。
【００１４】
（実施例１）
図１は本発明の第１の実施例におけるトイレ装置の全体斜視図である。
【００１５】
図１において、１は便器６上に載置された本体で、本体１と回動自在に装着してなる便蓋３及び便座２と、本体１と結合したトイレ室内の人の有無を検出する人体検知手段４を有する。更に、本体１内には、トイレ装置の機能を動作させるための制御回路８と便蓋３の開閉を行うための開閉装置９を有し、人体検知手段４と制御回路８は電気的に接続されている。人体検知手段４は本体１の左もしくは右に取付け可能である。
【００１６】
以上のように構成されたトイレ装置について、以下その動作、作用を説明する。
【００１７】
人体がトイレ装置に近づくと、人体検知手段４が人体の存在を検出してその信号を制御回路８に伝え、制御回路８から開閉装置９へ便蓋３を開ける信号を出力し、開閉装置９を介して便蓋３が開く。また、人体がトイレ装置から遠ざかると、人体検知手段４が人体の非存在を検出してその信号を制御回路８に伝え、制御回路８から開閉装置９へ便蓋３を閉める信号を出力し、開閉装置９を介して便蓋３が閉じるようになっている。こうして便蓋３の自動開閉を行う。
【００１８】
さらに検出結果を便座２の暖房機能や、部屋暖房および冷房機能（いずれも図示せず）などの制御に反映し、人体の有無によりＯＮ／ＯＦＦの動作を行ったり、通電率を変化させて、無駄な電力の消費を抑えたり、機器の寿命を延長させることが可能となる。また、脱臭機能（図示せず）であれば、トイレ室内の人体の存在を検出したと同時に脱臭機能を作動させ、人体の非存在を検出した後、一定時間作動させてから停止すると、トイレ室内の臭いを効果的に除去でき、次の利用者も快適にトイレを使用できる。便座２に暖房機能を有するものは、トイレ室内の人体の非存在を検出した場合、通電率を落とし、人体の存在を検出した場合には設定温度に達するまで通電率を上げる。これにより消費電力を抑えることができる。また、利用者がいない時にも、通電率を落として通電しているため、便座２はある程度の温度を保っており、人体の存在を検出してから設定温度に達するまでの時間が短く、人が便座２に着座した時に冷たいと不快に感じることがない。トイレ室内の冷房および暖房機能を有するものに関しても、便座２の暖房機能と同様に人体の有無の検出により、通電率を変化させ消費電力を抑えることができる。また、人がトイレ室内にいる時のみトイレ室内の冷房や送風および暖房機能を作動させる場合、人体の存在を検出したと同時に機能を作動させ、人体の非存在を検出すれば機能を停止する。これにより、トイレ入出時に操作を行うといった煩わしい動作を省くことができ、またトイレ退出時に機能を切り忘れ無駄に作動させることもなくなる。なお、ここで人体の非存在を検出すると言うのは、一定時間、人体検知手段４が人体の存在を検出しない時とするとよい。
【００１９】
以上のように、本実施例においては、人体検知手段４を本体１の左もしくは右に取付け位置が選択可能であるため、ドアの方向に応じて人体検知手段４の取付け位置を変更でき、ドアの方向がどの位置でも感度を低下させることなく、人体の有無を検出することができる。
【００２０】
人体検知手段４が人体の有無を検知する人体検知部１０と人体検知部１０からの検知情報を本体１内の制御回路８へ伝える伝達部１１とからなる場合、人体検知部１０と伝達部１１との接続部１２を本体１の左および右の双方に設けると、人体検知部１０および伝達部１１を左右の必要な側の接続部１２に取り付けることにより、人体検知手段４の取付け位置の選択を容易に行うことができるとともに、取り付け後に位置の変更が必要となった場合にも容易に位置の交換を行うことができる。また、接続部１２を本体１の左および右の双方に設け、それぞれの接続部１２に伝達部１１を設けると、人体検知部１０のみの位置変更により人体検知手段４の位置を容易に選択、変更することができる。さらに、この接続部１２が本体１の外面に設けると、ケース等を取り外すことなく、人体検知手段４の位置を変更することができる。例えば、しばらく使用した後に動作や使い勝手に不便さを感じた場合や、リフォームや引越しなどによりトイレ空間の間取りが変化した場合でも、手軽に対応可能となる。
【００２１】
図２は実施例１におけるトイレ装置の詳細図である。図２において、図１と同じ構成要素については同じ符号を用い、説明を省略する。図２に示すように、人体検知手段４は本体１に対して凸状態（突起した状態）で設置した場合、人体検知手段４の取付位置や角度の自由度を高くできる。
【００２２】
図３は実施例１におけるトイレ装置の詳細図である。図３において、図１と同じ構成要素については同じ符号を用い、説明を省略する。図３に示すように、人体検知手段４は本体１面上に設けた場合、凹凸がないため掃除などの手入れが楽であり、またデザイン性や美観を損なうことがない。
【００２３】
図４および図５は実施例１における人体検知手段４の分解図である。図４および図５において、図１と同じ構成要素については同じ符号を用い、説明を省略する。図４に示すように、人体検知部１０と伝達部１１の接続方法を、シール材１３を用いたネジ式にした場合、トイレ室内という水を利用する空間であっても、内部への水の浸入を回避でき、信頼性が増す。また、図５に示すように、人体検知部１０と伝達部１１の接続方法をソケット式のものを用いた場合、手軽で安価である。なお、人体検知手段４の伝達部１１が可撓性を有する場合、人体検知部１０と伝達部１１を取り外すことなく、位置変更が可能となる。これにより接続部１２の耐久性および信頼性を増すことができる。
【００２４】
（実施例２）
図６は第２の実施例におけるトイレ装置の全体斜視図である。図６において、図１と同じ構成要素については同じ符号を用い、説明を省略する。本実施例においては、人体検知手段４を本体１の左および右に設けているため、ドアの方向に応じて人体検知手段４の取付位置を変更することなく、ドアの方向がどの位置でも感度を低下させることなく、人体の有無を検出することができる。なお、人体の有無の判断としては、人体検知手段４の左右いずれか一方が人体を検出した場合を人体有りとし、また、左右いずれもが（つまり左右両方が）人体を検出しなくなった場合を人体無しとすると良い。
【００２５】
図７は実施例２におけるトイレ装置の平面図である。図７において、図１と同じ構成要素については同じ符号を用い、説明を省略する。図７に示すように、人体検知手段４が装着されている位置の水平面１５を基準とし、一つ目の検出方向１６の上下方向の検出角度をθ１、二つ目の検出方向１７の検出角度をθ２とした場合、
θ１＞θ２
とすると、ドアの方向だけでなく、利用者の体型の差に関係なく検出の感度をよくすることができる。とくにドア位置がトイレ正面にある場合、水平面１５を基準とした検出方向の上下方向の検出角度が大きい場合、背の低い子供では検出しにくく、逆に検出角度が小さい場合には、大人であれば股を抜けてしまう恐れがある。そこで一つ目の検出方向１６の検出角度θ１を、二つ目の検出方向１７の検出角度θ２より大きくすることにより、前記課題を解決した人体の検出が可能となる。
【００２６】
ここで、人体検知手段４に焦電式センサーを用いた場合、左右方向の角度および検出距離を変更可能としなくても、部屋の広さに左右されにくく、感度が保たれる。しかしながら焦電式センサーは温度の変化により人体の有無を検出するため、周囲の温度の影響を受けてしまう。つまり、周囲温度（例えばトイレ室の室温）と体温の差が少ない場合は検出感度が低下する。これは特に夏場においての感度の低下の原因である。また、トイレ室内の温度が安定していないと人の存在を検出するため誤動作してしまう。この誤動作を防ぐため、一度人体の存在を検出すると、その後安定するまで一定時間検出をしないなど制御的に制限を加える必要があり、この場合は連続使用ができないという課題がある。
【００２７】
そこで、左右の人体検知手段４の左もしくは右のどちらか一方を測距式センサー、他方に焦電式センサーで構成した場合、連続使用および一年中安定した感度を保つと共に、角度や検出距離の細かな設定をすることなく、人体の検出を可能とする。
【００２８】
また人体検知手段４を測距式センサーで構成した場合は、連続使用が可能であり、便座２や部屋暖房による熱の影響による誤動作が少ない。周囲温度も問わないので、一年中安定した感度を保つことができる。さらに測距式センサーである場合、左右方向に角度が変更可能とすると、検出範囲をドア近傍に設定可能となり、ドアの開閉と同時に人の入出を検出でき、入出者が待つことなく便蓋が開き、快適性が増す。また、検出距離を自在に変更可能とすることで、トイレの広さに見合った人体の検出が可能となる。
【００２９】
【発明の効果】
以上のように、本発明によれば、人体検知手段の設置位置を左または右に変更可能、もしくは左および右に設けることで、ドア位置等の影響を受けることなく、確実に人体の有無を検出することができる。
【図面の簡単な説明】
【図１】本発明の実施例１におけるトイレ装置の全体斜視図
【図２】本発明の実施例１におけるトイレ装置の詳細図
【図３】本発明の実施例１におけるトイレ装置の詳細図
【図４】本発明の実施例１における人体検知手段の分解図
【図５】本発明の実施例１における人体検知手段の分解図
【図６】本発明の実施例２におけるトイレ装置の全体斜視図
【図７】本発明の実施例２におけるトイレ装置の平面図
【図８】従来のトイレ装置の全体斜視図
【符号の説明】
１  本体
２  便座
３  便蓋
４  人体検知手段
８  制御回路
１０  人体検知部
１１  伝達部
１２  接続部
１５  水平面
【図１】
2004181077.tif 000003
【図２】
2004181077.tif 000004
【図３】
2004181077.tif 000005
【図４】
2004181077.tif 000006
【図５】
2004181077.tif 000007
【図６】
2004181077.tif 000008
【図７】
2004181077.tif 000009
【図８】
2004181077.tif 000010